(57)【要約】【課題】防臭効果の優れた動物用トイレを提供する。  【解決手段】動物用トイレ１は、仕切板１２、仕切板２２及び尿受容器３０を備えている。仕切板１２は、動物が排泄した尿を通過させる孔部１２ａを有する。仕切板２２は、孔部１２ａを通過した尿を通過させる孔部２２ａを有する。孔部２２ａの平面視での面積は、孔部１２ａの平面視での面積よりも小さい。尿受容器３０は、孔部２２ａを通過した尿を受ける。【選択図】図１
2014113090.tif 000002
【特許請求の範囲】
【請求項１】
尿を通過させる第１の孔部を有する第１の仕切板と、
前記第１の孔部を通過した前記尿を通過させる第２の孔部を有する第２の仕切板と、
前記第２の孔部を通過した前記尿を受ける尿受容器と、を備え、
前記第２の孔部の平面視での面積は、前記第１の孔部の平面視での面積よりも小さいことを特徴とする動物用トイレ。
【請求項２】
請求項１に記載の動物用トイレにおいて、
前記第１の仕切板、前記第２の仕切板及び前記尿受容器を収容する本体部を備え、
前記第１の仕切板、前記第２の仕切板及び前記尿受容器は、前記本体部から引出可能に設けられている動物用トイレ。
【請求項３】
請求項２に記載の動物用トイレにおいて、
底面及び側面を有し、前記本体部から引出可能な第１、第２及び第３の引出部を備え、
前記第１の仕切板は、前記第１の引出部の前記底面を構成し、
前記第２の仕切板は、前記第２の引出部の前記底面を構成し、
前記尿受容器は、前記第３の引出部を構成している動物用トイレ。
【請求項４】
請求項３に記載の動物用トイレにおいて、
前記第１、第２及び第３の引出部は、形状及び大きさが略同一である動物用トイレ。
【請求項５】
請求項１乃至４の何れかに記載の動物用トイレにおいて、
前記第１の仕切板上には、前記第１の孔部を覆うように、粒状の第１の排泄物処理材が敷設され、
前記第２の仕切板上には、前記第２の孔部を覆うように、粒状の第２の排泄物処理材が敷設され、
前記第２の排泄物処理材の粒径は、前記第１の排泄物処理材の粒径よりも小さい動物用トイレ。
【請求項６】
請求項５に記載の動物用トイレにおいて、
前記第１及び第２の排泄物処理材は、抗菌作用及び消臭作用を有する動物用トイレ。
【請求項７】
請求項５又は６に記載の動物用トイレにおいて、
前記尿受容器内には、粒状の第３の排泄物処理材が敷設され、
前記第３の排泄物処理材の粒径は、前記第２の排泄物処理材の粒径よりも小さい動物用トイレ。
【請求項８】
請求項７に記載の動物用トイレにおいて、
前記第３の排泄物処理材は、抗菌作用及び消臭作用を有する動物用トイレ。
【請求項９】
請求項７又は８に記載の動物用トイレにおいて、
前記第３の排泄物処理材は、前記第２の排泄物処理材よりも高い吸水性を有する動物用トイレ。
【請求項１０】
請求項７乃至９の何れかに記載の動物用トイレにおいて、
前記第３の排泄物処理材は、接着性材料を含有しており、
前記接着性材料の含有量は、前記第３の排泄物処理材の５重量％以下である動物用トイレ。
【発明の詳細な説明】
【技術分野】
【０００１】
本発明は、動物用トイレに関する。
【背景技術】
【０００２】
従来の動物用トイレとしては、例えば特許文献１に記載されたものがある。同文献に記載の動物用トイレは、孔部が形成された仕切部材により、上部空間と下部空間とに区画されている。上部空間及び下部空間のそれぞれには、多数の粒状の排泄物処理材が敷設される。動物が排泄した尿は、上部空間に敷設された排泄物処理材を透過し、仕切部材の孔部を通じて下部空間に落下する。下部空間に落下した尿は、そこに敷設された排泄物処理材に吸収される。
【特許文献１】特開２０１１−２１７６３８号公報
【発明の概要】
【発明が解決しようとする課題】
【０００３】
この動物用トイレにおいては、尿が落下した下部空間から悪臭が発生した場合であっても、仕切部材により、トイレの外部への悪臭の放出が抑制される。それにより、防臭効果を有する動物用トイレが実現されている。しかしながら、従来の動物用トイレには、防臭効果の面で向上の余地がある。
【０００４】
本発明は、上記課題に鑑みてなされたものであり、防臭効果の優れた動物用トイレを提供することを目的とする。
【課題を解決するための手段】
【０００５】
本発明による動物用トイレは、尿を通過させる第１の孔部を有する第１の仕切板と、上記第１の孔部を通過した上記尿を通過させる第２の孔部を有する第２の仕切板と、上記第２の孔部を通過した上記尿を受ける尿受容器と、を備え、上記第２の孔部の平面視での面積は、上記第１の孔部の平面視での面積よりも小さいことを特徴とする。
【０００６】
この動物用トイレにおいて、第１の仕切板の第１の孔部を通過した尿は、第１の仕切板と第２の仕切板との間の空間に落下する。当該空間に落下した尿は、第２の仕切板の第２の孔部を通過し、尿受容器内に落下する。ここで、尿が落下した尿受容器内から悪臭が発生した場合であっても、第２の仕切板により、尿受容器の外部への悪臭の放出が抑制される。さらに、尿受容器からの悪臭が、第１の仕切板と第２の仕切板との間の空間に漏出したとしても、その悪臭がトイレの外部に放出されるのを第１の仕切板によって抑制することができる。このため、優れた防臭効果が得られる。
【発明の効果】
【０００７】
本発明によれば、防臭効果の優れた動物用トイレが実現される。
【図面の簡単な説明】
【０００８】
【図１】本発明による動物用トイレの一実施形態を示す斜視図である。
【図２】図１の動物用トイレのII−II線に沿った断面図である。
【図３】図１の動物用トイレにおいて排泄物処理材が敷設された状態を示す斜視図である。
【図４】本発明による動物用トイレにおける仕切板の変形例を示す平面図である。
【図５】図４の仕切板のV−V線に沿った断面図である。
【発明を実施するための形態】
【０００９】
以下、図面を参照しつつ、本発明の実施形態について詳細に説明する。なお、図面の説明においては、同一要素には同一符号を付し、重複する説明を省略する。
［構成］
【００１０】
図１は、本発明による動物用トイレの一実施形態を示す斜視図である。動物用トイレ１は、猫や犬等の動物が排泄時に用いるトイレであって、仕切板１２（第１の仕切板）、仕切板２２（第２の仕切板）及び尿受容器３０を備えている。
【００１１】
仕切板１２は、動物が排泄した尿を通過させる孔部１２ａ（第１の孔部）を有する。本実施形態において仕切板１２は、簀子状をしている。すなわち、仕切板１２には、格子状に並んだ多数の孔部１２ａが存在する。各孔部１２ａは、平面視で矩形をしている。孔部１２ａの短辺の長さは、例えば８ｍｍ程度である。
【００１２】
仕切板１２は、引出部１０（第１の引出部）の底面を構成している。引出部１０は、この底面に加えて、側面１４を有する。引出部１０は、底面と４つの側面１４とからなる直方体の形状をしている。側面１４の１つには、取手１６が取り付けられている。
【００１３】
仕切板２２は、孔部１２ａを通過した尿を通過させる孔部２２ａ（第２の孔部）を有する。本実施形態において仕切板２２は、簀子状をしている。すなわち、仕切板２２には、格子状に並んだ多数の孔部２２ａが存在する。各孔部２２ａは、平面視で矩形をしている。各孔部２２ａの平面視での面積は、各孔部１２ａの平面視での面積よりも小さい。孔部２２ａの短辺の長さは、例えば４ｍｍ程度である。
【００１４】
仕切板２２は、引出部２０（第２の引出部）の底面を構成している。引出部２０は、この底面に加えて、側面２４を有する。引出部２０は、底面と４つの側面２４とからなる直方体の形状をしている。側面２４の１つには、取手２６が取り付けられている。
【００１５】
尿受容器３０は、孔部２２ａを通過した尿を受ける。この尿受容器３０は、底面３２及び側面３４を有する引出部（第３の引出部）を構成している。この引出部（尿受容器３０）は、底面３２と４つの側面３４とからなる直方体の形状をしている。側面３４の１つには、取手３６が取り付けられている。
【００１６】
本実施形態において引出部１０、引出部２０及び尿受容器３０は、形状及び大きさが略同一である。これらの引出部１０、引出部２０及び尿受容器３０は、本体部４０に収容される。具体的には、本体部４０は、底面４２及び４つの側面４４を有する。そして、側面４４の１つには、開口部４４ａ，４４ｂ，４４ｃが形成されている。これらの開口部４４ａ，４４ｂ，４４ｃは、本体部４０の高さ方向に沿って配列されている。
【００１７】
開口部４４ａ，４４ｂ，４４ｃのうち開口部４４ａは、最も高い位置に形成されている。この開口部４４ａの形状及び大きさは、引出部１０の側面１４（取手１６が取り付けられている面）のそれに略等しい。開口部４４ｂは、開口部４４ａよりも低い位置に形成されている。この開口部４４ｂの形状及び大きさは、引出部２０の側面２４（取手２６が取り付けられている面）のそれに略等しい。また、開口部４４ｃは、開口部４４ｂよりも低い位置に形成されている。この開口部４４ｃの形状及び大きさは、尿受容器３０の側面３４（取手３６が取り付けられている面）のそれに略等しい。
【００１８】
本実施形態においては上述のとおり引出部１０、引出部２０及び尿受容器３０の形状及び大きさが略同一であり、それに伴い開口部４４ａ，４４ｂ，４４ｃの形状及び大きさも略同一である。
【００１９】
動物用トイレ１は、引出部１０、引出部２０及び尿受容器３０が本体部４０内に収容された状態で使用される。引出部１０、引出部２０及び尿受容器３０は、それぞれ開口部４４ａ、開口部４４ｂ及び開口部４４ｃを通じて、本体部４０に出し入れすることが可能である。すなわち、引出部１０（仕切板１２）、引出部２０（仕切板２２）及び尿受容器３０は、本体部４０から引出可能に設けられている。
【００２０】
図２は、図１のII−II線に沿った断面図である。同図は、引出部１０、引出部２０及び尿受容器３０が本体部４０内に収容された状態を示している。同図に示すように、本体部４０の一対の側面４４（開口部４４ａ，４４ｂ，４４ｃが形成された面と交差する面）の内側には、引出部１０及び引出部２０の挿入方向に沿って延在する突条４５ａ，４５ｂが形成されている。突条４５ａは、開口部４４ａの底辺と略同じ高さに形成されており、本体部４０内に収容された引出部１０を支持する。同様に、突条４５ｂは、開口部４４ｂの底辺と略同じ高さに形成されており、本体部４０内に収容された引出部２０を支持する。
【００２１】
これにより、動物用トイレ１は、仕切板１２よりも上の空間（上部空間Ｓ１）、仕切板１２と仕切板２２との間の空間（中央空間Ｓ２）、及び仕切板２２よりも下の空間（下部空間Ｓ３）の３つの空間に区画されている。
【００２２】
図３は、動物用トイレ１において排泄物処理材が敷設された状態を示す斜視図である。このように、動物用トイレ１は、所定の場所に排泄物処理材が敷設された状態で使用される。具体的には、仕切板１２上に、孔部１２ａを覆うように粒状の排泄物処理材５０（第１の排泄物処理材）が敷設される。仕切板２２上に、孔部２２ａを覆うように粒状の排泄物処理材６０（第２の排泄物処理材）が敷設される。また、尿受容器３０内に、粒状の排泄物処理材７０（第３の排泄物処理材）が敷設される。
【００２３】
排泄物処理材５０は、透水性を有しており、水分を殆ど吸収しない。排泄物処理材６０及び排泄物処理材７０は、吸水性を有する。排泄物処理材７０は、排泄物処理材６０よりも高い吸水性を有する。また、排泄物処理材６０の粒径は排泄物処理材５０の粒径より小さく、排泄物処理材７０の粒径は排泄物処理材６０の粒径より小さい。排泄物処理材５０及び排泄物処理材６０は、それぞれ孔部１２ａ及び孔部２２ａから落下しない程度の粒径を有する。排泄物処理材５０，６０，７０の粒径は、例えば、それぞれ１０ｍｍ程度、５〜７ｍｍ程度、３〜４ｍｍ程度である。これらの排泄物処理材５０，６０，７０は、何れも抗菌作用及び消臭作用を有することが好ましい。
【００２４】
排泄物処理材７０は、ポリマー等の接着性材料を含有している。本実施形態において接着性材料の含有率は、排泄物処理材７０の１重量％以上５重量％以下（好ましくは３重量％以上５重量％以下）である。これにより、排泄物処理材７０は、弱いながらも固まり性を有する。すなわち、吸水した複数の排泄物処理材７０は、接着性材料の作用により互いに付着し、塊状化する。
【００２５】
排泄物処理材７０は、複層構造であってもよい。具体的には、排泄物処理材７０は、粒状芯部と、それを覆う被覆層部とを備えた構造であってもよい。この場合、接着性材料は、被覆層部に含有されることが好ましい。
［作用効果］
【００２６】
動物用トイレ１において、仕切板１２の孔部１２ａを通過した尿は、仕切板１２と仕切板２２との間の中央空間Ｓ２に落下する。中央空間Ｓ２に落下した尿は、仕切板２２の孔部２２ａを通過し、尿受容器３０内に落下する。ここで、尿が落下した尿受容器３０内から悪臭が発生した場合であっても、仕切板２２により、尿受容器３０の外部への悪臭の放出が抑制される。さらに、尿受容器３０からの悪臭が、中央空間Ｓ２に漏出したとしても、その悪臭が動物用トイレ１の外部に放出されるのを仕切板１２によって抑制することができる。このため、優れた防臭効果が得られる。
【００２７】
そのうえ、孔部２２ａの平面視での面積が孔部１２ａのそれよりも小さいため、尿受容器３０から中央空間Ｓ２への悪臭の漏出を効果的に抑制することができる。また、孔部１２ａの面積を比較的大きくすることにより、動物が排泄した尿を上部空間Ｓ１から下部空間Ｓ３までスムーズに流すことができる。
【００２８】
さらに、仕切板１２上に孔部１２ａを覆うように排泄物処理材５０が敷設されるとともに、仕切板２２上に孔部２２ａを覆うように排泄物処理材６０が敷設されている。動物が排泄した尿は、排泄物処理材５０を透過し、孔部１２ａから中央空間Ｓ２に落下する。孔部１２ａを通過した尿の一部は、排泄物処理材６０によって吸収される。残りの尿は、排泄物処理材６０を透過し、孔部２２ａから下部空間Ｓ３に落下する。このように排泄物処理材５０が敷設されていることにより、孔部１２ａを通じて中央空間Ｓ２から上部空間Ｓ１に悪臭が漏出するのを遮断することができる。同様に、排泄物処理材６０が敷設されていることにより、孔部２２ａを通じて下部空間Ｓ３から中央空間Ｓ２に悪臭が漏出するのを遮断することができる。
【００２９】
しかも、排泄物処理材６０の粒径は、排泄物処理材５０のそれよりも小さい。このため、仕切板２２上に排泄物処理材６０を高密度に敷き詰めることが可能となり、孔部２２ａを通じて下部空間Ｓ３から中央空間Ｓ２に悪臭が漏出するのをより効果的に遮断することができる。
【００３０】
この点、排泄物処理材５０の粒径は、排泄物処理材５０が孔部１２ａから落下しない程度の大きさでなければならない。それゆえ、排泄物処理材６０の粒径が排泄物処理材５０の粒径と同じである場合、排泄物処理材６０の粒径も、孔部１２ａから落下しない程度の大きさに制限される。これに対し、排泄物処理材６０の粒径を排泄物処理材５０のそれよりも小さくできるのであれば、孔部１２ａの大きさに関わらず、排泄物処理材６０の粒径を決めることができる。すなわち、排泄物処理材６０が孔部２２ａから落下しない範囲内で、粒径をできるだけ小さくすることができ、それにより排泄物処理材６０を高密度に敷き詰めることが可能となる。
【００３１】
尿受容器３０内に、排泄物処理材７０が敷設されている。孔部２２ａから下部空間Ｓ３に落下した尿は、この排泄物処理材７０により吸収される。これにより、尿受容器３０内に尿が溜まりにくくなるため、尿受容器３０内からの悪臭の発生が抑制される。さらに、排泄物処理材７０の粒径が排泄物処理材６０のそれよりも小さいため、尿受容器３０内に排泄物処理材７０を高密度に敷き詰めることが可能となり、尿受容器３０内に尿が溜まるのを効果的に防ぐことができる。また、排泄物処理材７０が排泄物処理材６０よりも高い吸水性を有することにより、尿受容器３０内に尿が溜まるのをより効果的に防ぐことができる。
【００３２】
排泄物処理材７０が抗菌作用及び消臭作用を有する場合、尿を吸収した排泄物処理材７０からの悪臭の発生を抑制することができる。排泄物処理材６０が抗菌作用及び消臭作用を有する場合、尿を吸収した排泄物処理材６０からの悪臭の発生を抑制することができるとともに、孔部２２ａを通じて下部空間Ｓ３から中央空間Ｓ２へ悪臭が漏出するのをより効果的に防ぐことができる。同様に、排泄物処理材５０が抗菌作用及び消臭作用を有する場合、孔部１２ａを通じて中央空間Ｓ２から上部空間Ｓ１へ悪臭が漏出するのをより効果的に防ぐことができる。
【００３３】
排泄物処理材７０が接着性材料を含有していることにより、尿を吸収した排泄物処理材７０が塊状化する。このため、尿受容器３０内に敷設された多数の排泄物処理材７０の中から、使用済みのものだけを容易に取り除くことができる。さらに、排泄物処理材７０における接着性材料の含有量を５重量％以下としている。このように塊状化機能が得られる範囲内で接着性材料の含有量をできるだけ少なくすることにより、比較的高価な接着性材料（ポリマー等）の使用量を減らすことができ、製造コストの低減につながる。
【００３４】
仕切板１２（引出部１０）、仕切板２２（引出部２０）及び尿受容器３０が本体部４０から引出可能に設けられているため、排泄物処理材５０，６０，７０の交換を容易に行うことができるとともに、仕切板１２、仕切板２２及び尿受容器３０の清掃も容易に行うことができる。
【００３５】
引出部１０、引出部２０及び尿受容器３０は、形状及び大きさが略同一である。このため、シンプルな構成の動物用トイレ１が実現されている。このようにシンプルな構成にすることにより、動物用トイレ１の製造が容易になるとともに、その美観を高めることができる。
［他の実施形態］
【００３６】
本発明による動物用トイレは、上記実施形態に限定されるものではなく、様々な変形が可能である。例えば、上記実施形態においては、平面視で矩形の孔部１２ａ，２２ａを示した。しかし、孔部１２ａ，２２ａの形状は、任意であり、例えば平面視で円形であってもよい。
【００３７】
上記実施形態においては、仕切板１２，２２にそれぞれ多数の孔部１２ａ，２２ａが設けられた例を示した。しかし、仕切板１２，２２には、それぞれ孔部１２ａ，２２ａが１つだけ設けられていてもよい。また、仕切板１２には、傾斜をつけてもよい。すなわち、図４及び図５に示すように、仕切板１２の上面は、孔部１２ａに向かって下方に傾斜していてもよい。図５は、図４のV−V線に沿った断面を示している。同様に、仕切板２２に傾斜をつけてもよい。
【符号の説明】
【００３８】
１  動物用トイレ
１０  引出部（第１の引出部）
１２  仕切板（第１の仕切板）
１２ａ  孔部（第１の孔部）
１４  側面
１６  取手
２０  引出部（第２の引出部）
２２  仕切板（第２の仕切板）
２２ａ  孔部（第２の孔部）
２４  側面
２６  取手
３０  尿受容器（第３の引出部）
３２  底面
３４  側面
３６  取手
４０  本体部
４２  底面
４４  側面
４４ａ，４４ｂ，４４ｃ  開口部
４５ａ，４５ｂ  突条
５０  排泄物処理材（第１の排泄物処理材）
６０  排泄物処理材（第２の排泄物処理材）
７０  排泄物処理材（第３の排泄物処理材）
Ｓ１  上部空間
Ｓ２  中央空間
Ｓ３  下部空間
【図１】
2014113090.tif 000003
【図２】
2014113090.tif 000004
【図３】
2014113090.tif 000005
【図４】
2014113090.tif 000006
【図５】
2014113090.tif 000007